(57)【特許請求の範囲】
【請求項１】
少なくとも上面、側面及び底面を備え、小物物品を収容するための空間を仕切る小物収容用容器体であって、
前記小物収容用容器体の上面もしくは側面または前記小物収容用容器体の上面及び側面にまで渡った領域において、開いた多角ループ状のミシン目ラインとそのミシン目ラインの端部同士を結ぶ略直線状の折り曲げラインとで囲まれた部分として形成される蓋体領域を備え、
前記小物収容用容器体の前記蓋体領域以外の領域として定義される外壁領域において、前記折り曲げラインの対岸側に位置する部分には、前記小物収容用容器体の内部側において前記蓋体領域に向かって張り出している張り出し部材が存在していると共に、前記外壁領域の折り曲げラインの対岸側に位置する部分ではない部分には当該張り出し部材が存在せず、
前記蓋体領域には、前記蓋体領域の一部であって前記折り曲げラインの側とは反対の側に突出する所定形状の係合部が形成され、
前記張り出し部材には、該張り出し部材の一部であって前記係合部が該小物収容用容器体における内方側に重畳するように配置されることで係合状態になると共に、前記係合部が該小物収容用容器体の外方側に配置されることで係合しない状態になる被係合部が形成され、
前記被係合部には、該被係合部を構成する前記張り出し部材の外縁から前記対岸側に所定長さのスリットが形成される
小物収容用容器体。
【請求項２】
前記係合部は、前記折り曲げライン側とは反対の側に突出するＵ字状の凸状部を有し、
前記被係合部の外縁は、前記対岸側に突出するＵ字状の凹状部を有し、
前記係合部と前記被係合部とが重畳した状態では、前記凸状部の外縁と前記凹状部の外縁とは同じ方向に突出すると形状であると共に、前記凸状部の外縁が前記凹状部の外縁より急な曲線で構成される請求項１に記載の小物収容用容器体。
【請求項３】
前記係合部が前記被係合部の該小物収容用容器体における外方側に重畳するように配置された非係合状態において、前記係合部を該小物収容用容器体における内方側に移動させるよう所定の力が加えられることで、該係合部が前記被係合部の前記内方側に移動して係合状態となり、
前記係合部が前記被係合部の前記内方側に重畳するように配置された係合状態において、前記係合部を前記外方側に移動させるよう所定の力が加えられることで、前記係合部が前記被係合部の外方側に移動して非係合状態となる請求項１又は２に記載の小物収容用容器体。
【請求項４】
前記係合部は、前記蓋体領域における前記折り曲げラインとは反対側における端部近傍に形成される請求項１から３のいずれかに記載の小物収容用容器体。
【請求項５】
少なくとも上面、側面及び底面を備える箱型の小物収容用容器体を作成するにあたって用いられる小物収容用容器体用ブランク体であって、
前記小物収容用容器体の上面、後ろ側面、底面、及び前側面となるプレ上面部、プレ後ろ側面部、プレ底面部、及びプレ前側面部が、それぞれ互いの境界において折り目を介してこの順で連続して上下方向に配置された一枚紙からなる背骨ブランク体と、
前記小物収容用容器体の右側面及び左側面となるプレ外側左側面部、プレ外側右側面部、プレ内側左側面部、プレ内側右側面部が、それぞれ背骨ブランク体の左右の両端に折り目を介して隣接して配置されたひれブランク体と、を備え、
前記プレ上面部には、前記上下方向における外辺の側に突出するような凸状の切り込み線が形成されると共に、前記切り込み線を囲むように開いた多角ループ状のミシン目ラインとそのミシン目ラインの端部同士を結ぶ略直線状の折り曲げラインとが形成され、
前記プレ前側面部にはプレ上面部の端部が位置するように折り目を介して張り出し部材が連接されると共に、前記張り出し部材には、前記上下方向における外縁から前記上下方向に所定長さのスリットが形成される小物収容用容器体用ブランク体。
【発明の詳細な説明】
【０００１】
【発明の属する技術分野】
本発明は、化粧用パフやチョコレート菓子などの小物物品を複数収納するための包装容器に関する。
【０００２】
【従来の技術】
従来より、化粧用パフなどの小物物品を収納する容器は、紙製の簡易なものが多く出回っている。このような容器としては、上面から側面にかけてミシン目が入れられており、使用者がこのミシン目の部分をそれに沿って大きく切り開くことによって、収納物を取り出すための開口部が形成されるものが一般的である。
【０００３】
上述のような容器は、ミシン目が切り開かれて持ち上げられた部材がそのまま蓋体を構成することになり、収納物を取り出した後は、この蓋体を再び閉じることにより、残りの収納物の保存状態が保たれる。そしてこの蓋体により開口部が再閉された状態では、一度切り開かれた開口部が塞がれるようにして開口部に重ねられることになる。また、このような蓋体の開閉動作は、収納物がなくなるまで繰り返されるのが通常である。
【０００４】
【発明が解決しようとする課題】
しかし、このような紙製容器においては、蓋体が容器の一部の切り抜きにすぎないものであるため、蓋体が切り抜かれた後は、それ自身の重みにより、開け抜かれた開口部内に蓋体が落とし込まれてしまい、開閉動作が困難になるというような問題があった。このため、次に収納物を取り出そうとして容器を再開封しようとするときには利便性が悪く、また、蓋体が落とし込まれた状態の形状というのは見た目にも良いものではない。
【０００５】
このような問題を解決するものとして、特開２０００−１０３４８２号公報に記載されているような構成を備える容器の発明が本出願人により提案されているが、開口部のみならず上面全体を完全に覆うような形態で蓋体が構成されているため、本体部と蓋体とが重なっている部分が多く、原料の無駄やコスト高の問題があった。
【０００６】
また、他方では、ミシン目によって開け抜かれた開口部を蓋板で覆って閉塞する際の仮止め構造を有する容器として、蓋体を中央部に向かって先窄まりの形状とし、その先端部を差込部位として、側板に設けられた切り込み穴に当該差込部位を差し込むことによって仮止めをする、という構造のものも市場に多く出回っている。しかし、このような構造のものにおいては、実際には切り込み穴から差込部位の抜き差しを行うことは容易ではなく、これを行うために蓋体の上部を抑える動作が伴うこととなり、それが蓋体の落ち込みを一層助長するという問題がある。
【０００７】
本発明は、以上のような課題に鑑みてなされたものであり、その目的は、使用する紙の量を低減しつつ、蓋体が開口部に埋没しにくい小物収容用容器体、これを作成するにあたって用いられる容器体作成用ブランク体を提供することにある。
【０００８】
【課題を解決するための手段】
上記のような課題を解決するために、本発明者らが鋭意研究を重ねた結果、小物収容用容器体の蓋体領域以外の領域の所定の箇所において、前記小物収容用容器体の内部側に蓋体領域に向かって張り出している張り出し部材を設けることにより、使用する紙の量を低減しつつ、蓋体の収納部内への落ち込みを防止することができるということを見出し、本発明を完成するに至った。
【０００９】
より具体的には、本発明は以下のようなものを提供する。
【００１０】
（１）少なくとも上面、側面及び底面を備え、小物物品を収容するための空間を仕切る小物収容用容器体であって、前記小物収容用容器体の上面もしくは側面または前記小物収容用容器体の上面及び側面にまで渡った領域において、開いた多角ループ状のミシン目ラインとそのミシン目ラインの端部同士を結ぶ略直線状の折り曲げラインとで囲まれた部分として形成される蓋体領域を備え、前記小物収容用容器体の前記蓋体領域以外の領域として定義される外壁領域において、前記折り曲げラインの対岸側に位置する部分（外壁領域の対岸側部分）には、前記小物収容用容器体の内部側において前記蓋体領域に向かって張り出している張り出し部材が存在していると共に、前記外壁領域の対岸側部分以外の部分には当該張り出し部材が存在しないことを特徴とする小物収容用容器体。
【００１１】
斯かる発明によれば、前記小物収容用容器体の前記蓋体領域以外の領域として定義される外壁領域において、前記折り曲げラインの対岸側に位置する部分（外壁領域の対岸側部分）には、前記小物収容用容器体の内部側において前記蓋体領域に向かって張り出している張り出し部材が存在することによって、前記折り曲げラインの対岸側においては当該張り出し部材と前記蓋体領域とが２枚重ね状態となっているのに対し、前記外壁領域の対岸側部分以外の部分には当該張り出し部材が存在しないことにより、かかる部分では２枚重ね状態が形成されないようになっている。
【００１２】
そして、この外壁領域の対岸側部分以外の部分に張り出し部材が存在せず、かかる部分では２枚重ね状態が形成されないようになっていることにより、かかる部分を２枚重ねの状態とした場合よりも、使用される紙の量の低減を図ることができ、これによってコストダウンを図ることができるようになる。
【００１３】
また、ミシン目ラインに沿って切り開くことにより形成された蓋体で、切り開かれた開口部を閉塞する際に、張り出し部材が蓋体の開口部内の埋没を邪魔するため、蓋体が収納部内に埋没するといった不具合を低減させることが可能となる。なお、張り出し部材は、蓋体の埋没防止機能が発揮できる範囲でできるだけ小さくすることにより、紙の使用量の低減を一層図ることが可能となる。
【００１４】
なお、本発明においては、蓋体領域を本体部の上面又は側面のどちらに設けてもよく、また、蓋体領域は使用者の手動操作によりミシン目を介して本体部と分離可能に設けられており、ミシン目に沿って切り開いた場合には、その一方端部が本体部に接合したヒンジ部となり、他方端部が回動可能な自由端部となる。こうして形成された蓋体により、使用者は開口部を開け閉めすることが可能となる。
【００１５】
（２）は、前記張り出し部材は、前記外壁領域に一体化された部材もしくは前記外壁領域から伸張された部材で形成されていることを特徴とする（１）記載の小物収容用容器体。
【００１６】
この発明によれば、容器の外壁領域構成部材を張り出させて、蓋体の一部を重なるように位置づけているので、別途蓋体落ち込み防止板を設ける必要がなくなる。更には、容器の外壁構成に際して必要となる接着板に埋没防止という機能を持たせる合理的な構造とすることも可能になる。
【００１７】
（３）前記外壁領域において前記折り曲げラインの対岸側に位置する部分（外壁領域の対岸側部分）と、前記蓋体領域においてこの外壁領域の対岸側部分と対向する部分（蓋体領域の対岸側部分）と、には、その一部分において、互いに係合し合う係合部位がそれぞれ設けられていることを特徴とする（１）または（２）いずれか記載の小物収容用容器体。
【００１８】
この発明によれば、例えば、蓋体領域に形成された係合部位を外壁領域に設けられた切り込み係合部位に差込むなどして係合することにより、蓋体を容器体本体に仮止め的に固定保持させることが可能になる。
【００１９】
（４）前記係合部位における係合は、前記係合部位に含まれる２つの小薄板部材が互いに重畳されることにより生ずる係合であって、前記係合部位に加えられる力に応じて、前記互いに重畳されている２つの小薄板部材の上下位置関係が変化することで当該係合部位における係合・解消関係が変化するものであることを特徴とする（３）記載の小物収容用容器体。
【００２０】
この発明によれば、使用者は、上に位置する小薄板部材が含まれている係合部位を指で軽く押すか、あるいは蓋体の一部を軽く下に引っ張るだけで、当該小薄板部材を他方の小薄板部材の下に位置付けて係合させることができ、また、蓋体の一部を軽く引っ張り上げるだけで、下に位置する小薄板部材を他方の小薄板部材の上に位置付けて係合状態をスムーズに解消させることもできるようになる。
【００２１】
（５）前記係合部位に含まれる２つの小薄板部材の一方には、当該２つの小薄板部材の上下位置関係の位置変化を容易にするスリットが設けられていることを特徴とする（４）記載の小物収容用容器体。
【００２２】
この発明によれば、スリットが設けられている側の小薄板部材の硬さがスリットにより和らげられるため、小薄板部材の上下位置関係の位置変化をより容易に行うことができるようになる。
【００２３】
（６）前記係合部位において、前記スリットは、前記外壁領域のほうに設けられているものであることを特徴とする（５）記載の小物収容用容器体。
【００２４】
この発明によれば、外壁領域のほうにスリットが設けられているため、蓋体を閉じたときには、スリットが表面に現れない構造とすることが可能となる。
【００２５】
（７）前記係合部位は、前記張り出し部材に設けられていることを特徴とする（３）から（６）いずれか記載の小物収容用容器体。
【００２６】
この発明によれば、張り出し部材の一部、例えば中央部を係合部位とすることができ、シンプルかつ簡易な構成の係合部位を有した小物収容用容器体を製造できるようになる。
【００２７】
（８）前記ミシン目ラインを構成している複数の切り込み部分は、前記蓋体領域の内側に向かって斜め方向に突き出している部分を有していることを特徴とする（１）から（７）いずれか記載の小物収容用容器体。
【００２８】
この発明によれば、蓋体領域を、小物収容用容器体の上面及び／又は側面に形成されたミシン目を介して容器体本体から分離する際に、当該蓋体領域の一部を持って引っ張り上げるようにすることにより、ミシン目ライン以外の部分が破られることなく、ミシン目ラインに沿って蓋体領域を容易かつきれいに分離することが可能となる。
【００２９】
（９）少なくとも上面、側面及び底面を備える箱型の小物収容用容器体を作成するにあたって用いられる容器体作成用ブランク体であって、前記小物収容用容器体の上面、後ろ側面、底面、及び前側面となるプレ上面部、プレ後ろ側面部、プレ底面部、及びプレ前側面部が、それぞれ互いの境界において折り目を介してこの順で連続して上下方向に配置された一枚紙からなる背骨ブランク体と、前記小物収容用容器体の右側面及び左側面となるプレ外側左側面部、プレ外側右側面部、プレ内側左側面部、プレ内側右側面部が、それぞれ背骨ブランク体の左右の両端に折り目を介して隣接して配置されたひれブランク体と、を備え、前記プレ前側面部にはプレ上面部の端部が位置するように折り目を介して張り出し部材が連接されていることを特徴とする小物収容用容器体用ブランク体。
【００３０】
本発明は、（１）から（８）のいずれかに記載の小物収容用容器体を作製するにあたり用いられるものであり、この発明によれば、蓋体の他方端部の裏面に撥水加工が施されているので、迅速にライン状のり部に接着剤を塗布することが可能となり、蓋体の摘み部の部分を避けて接着剤を塗布したり、塗布した後に接着剤を剥がす等の煩雑な作業をする必要がなくなり、その分だけ製造工程を簡易化することができる。
【００３１】
なお、本発明におけるライン状のり部は、必ずしも連続的かつ直線状にのり部を形成したものに限らず、一定間隔でのり部を断続的かつ直線状に形成しているような場合も含む。
【００３２】
本発明におけるブランク体の素材としては、表面が樹脂コートされた厚紙や樹脂材などを採用することが可能である。
【００３３】
（１０）前記プレ内側左側面部及び／又はプレ内側右側面部には所定形状の切り欠き部が形成されていることを特徴とする（９）記載の小物収容用容器体用ブランク体。
【００３４】
本発明によれば、整列させた状態で押し込み棒によって方筒体の一方端から中に押し込まれた複数の小物物品は、方筒体の他方端から挿入されている抑え棒によって漏れ出さないように抑えられる。また、内側側面部には抑え棒を抜き出すことができる切り欠き部が形成されているので、予め抑え棒を抜き出すことなく、そのまま内側側面部を折り込むことができる。この折り込まれた内側側面部によって収納物の整列状態を維持し得るため、抑え棒を抜き出しても収納物が整列された状態のまま小物収容用容器を製造することが可能となる。
【００３５】
（１１）前記プレ上面部の裏面又は前記プレ張り出し部材の表面には略直線状で連続的なライン状のり部が形成されていると共に、当該ライン状のり部に対応する位置にある前記プレ張り出し部材に形成された係合部位の表面又は前記プレ上面部に形成された係合部位の裏面に所定部位においてポイント的に撥水加工が施されていることを特徴とする（９）または（１０）いずれか記載の小物収容用容器体用ブランク体。
【００３６】
撥水塗料としては、フッ素樹脂やメラミン樹脂、シリコン樹脂など、一般的に撥水効果を持たせるために使用されているものを、単独もしくは適宜混合して使用することができる。
【００３７】
また、本発明においては、略直線状で連続的なライン状のり部、及び、当該ライン状のり部に対応する部分であって係合部位以外の部分、特にブランクを組み立てたときに外側となる部分（背骨ブランク体と外側側面部）に撥水加工を施すこともできる。
【００３８】
（１２）（１０）または（１１）いずれか記載の小物収容用容器体用ブランク体を用いて、物品を収納するための包装容器を製造する方法であって、前記ブランク体における前記蓋体領域の裏面を前記張り出し部材の表面に重ねるようにして前記上面と前記張り出し部材とが貼着されたものを起立させることにより両端面が開放された方筒体を組み立てるステップと、前記方筒体の一方側から押し込み棒により小物物品を挿入するステップと、前記方筒体の他方側からプレ内側左側面部及び／又はプレ内側右側面部の切り欠き部を介して出し入れ可能な形状の抑え面を有する抑え棒を挿入するステップと、折り込まれたプレ内側左側面部及び／又はプレ内側右側面部を介して前記抑え棒を外へスライド移動させるステップと、を備えたことを特徴とする小物収容用容器体の製造方法。
【００３９】
抑え棒を収納部に挿入されている工程を含む場合には、抑え棒の分だけ収納物の充填率が悪くなるというのが通常であるが、本発明においては、内側側面部に切り欠き部が設けられているため、かかる切り欠き部を介して抑え棒を外へ抜き出すことにより、充填率の低下を回避することができる。
【００４０】
（１３）前記蓋体領域の裏面又は前記張り出し部材の表面の一部に予め撥水加工を施しておくステップを更に含むことを特徴とする（１２）に記載の小物収容用容器体の製造方法。
【００４１】
本発明によれば、蓋体の摘み部の部分を避けて接着剤を塗布したり、塗布した後に接着剤を剥がす等の煩雑な工程を経ることが避けられ、効率的に小物収容用容器体を製造することができる。
【００４２】
上記の（１２）及び（１３）に係る収納物としては、化粧用パフなどの薄型内容物や、チョコレートやクッキーなどの菓子類を個別に袋に閉じた袋状物など、様々なものに適用可能である。特に、スタック状に整列させた状態で収納される収納物を確実かつ高効率に収納するものとして本発明の製造方法は効果的である。
【００４３】
【発明の実施の形態】
以下、本発明に係る小物収容用容器体の好ましい実施形態について、図面を参照しながら説明するが、本発明はこれに限定されるものでない。
【００４４】
まず、図１から図３は、本実施形態に係る小物収容用容器体の構成を示す図であり、図１は、製品として出荷される状態に係る本実施形態の収納物入り小物収容用容器体を示す概略斜視図、図２は、図１のものがミシン目に沿って破って開け抜かれた状態を示す図であり、図３は、図２のものを閉じた状態を示す図である。
【００４５】
本実施形態の小物収容用容器体は、図１に示すように、収納物としての化粧用パフを収納するための空間を仕切る収納部１ａが形成された本体部１と、当該本体部１の上面３にミシン目ライン５で区画された蓋体４と、を備える。蓋体４は、その一方端部が回動可能な自由端部となるように、他方端部が本体部１と接合したままの折り曲げライン４ｂとなるように、本体部１と一体的に形成されている。ミシン目ライン５は、蓋体４が折り曲げライン部４ｂを底辺としたベース型状となるように蓋体縁部を形成し、かつ、ベース型の先端には摘み部４ａが設けられるようにして本体部１の端縁まで達するように形成されている。
【００４６】
図１の状態で消費者に渡った本実施包装容器は、摘み部４ａの部分を摘んで（図２示す矢印Ａ方向に）引っ張り上げることにより、蓋体４が折り曲げライン４ｂに至るまでミシン目に沿って分離され、折り曲げライン４ｂがヒンジ部となって回動することにより、図２に示されるように、蓋体４が、本体部１から開け抜かれることになる。これにより、蓋体４のみが本体部から分離され、収納物６を取り出すための開口部７が形成される。
【００４７】
図２に示すように、本体部１においては、蓋体４の自由端部４ｃのみが重なる位置に、前側面２を伸張して形成された張り出し部材８が重畳部として設けられている。この張り出し部材８はミシン目ライン５ａに沿って設けられている。
【００４８】
収納部１ａ内から収納物６を取り出した後に、図３に示されるように、張り出し部材８に自由端部４ｃを重ねるようにすることにより蓋体４で開口部７を閉塞することができる。自由端部４ｃには張り出し部材８に係合させるための係合部９となる切り込みが形成されている。この係合部９を張り出し部材８の端縁に差込むように係合させることより、蓋体４による開口部７の閉鎖状態を保持するように仮止めすることができる。
【００４９】
更に、張り出し部材８が係合部９と係合する部分にはスリット８ａが設けられているため、張り出し部材８の紙由来の硬さが和らげられ、使用者は係合部９を指で軽く押すだけで張り出し部材８の端縁に係合させることができ、かつ、摘み部４ａを摘んで軽く引っ張り上げるだけで、スムーズに係合を解消することができる。なお、図４は本実施形態の小物収容用容器体の蓋体４がミシン目に沿って本体部と分離される前の状態を説明するための説明図であり、図５は、蓋体４がミシン目ライン５に沿って本体部１と分離された後に、係合部９が張り出し部材８と係合されている状態を説明するための説明図である。
【００５０】
ミシン目ライン５は、図１及び図４に示すように、略直線方向に形成されており、該直線方向に延びる複数の切り込み５ｂとして構成されている。そしてこの各々の切り込み５ｂの一方端部には、蓋体４の内側に向かって斜め方向に突き出す切り込み５ｃが形成されているため、蓋体４が開け抜かれる際に、隣り合う切り込み５ｂが次々に連鎖して破られ、ミシン目５ラインに沿って容易に蓋体４を分離することができる。
【００５１】
次に、図６は本実施形態における小物収容用容器体が組み立てられる前のブランク状態を示す概略正面図である。
【００５２】
本実施形態のブランク体１０は、包装容器のプレ上面部１１Ａ、プレ後ろ側面部１１Ｂ、プレ底面部１１Ｃ、プレ前側面部１１Ｄからなる背骨ブランク体１１と、プレ外側左側面部１２Ａ、プレ外側右側面部１２Ｂ、プレ外側右側面部１２Ｃ及びプレ外側左側面部１２Ｄと、コの字型切り欠き部１６が形成されたプレ内側左側面部１３Ａ、プレ内側右側面部１３Ｂ、プレ内側左側面部１３Ｃ及びプレ内側右側面部１３Ｄと、からなるひれブランク体１２及び１３と、からなる容用容器体の各面が一体的に展開されたものである。ブランク体１０の両端として、一方端部にはプレ上面部１１Ａが、他方端部にはプレ前側面部１１Ｄを伸張したプレ張り出し部材１５が、一体的に配置されている。プレ上面部１１Ａの裏側には略直線状で連続的なライン状のり部１４が形成されていると共に、プレ張り出し部材に形成されたスリット１５ｂ付近には撥水塗料が予め塗布されている。
【００５３】
次に、本実施形態のブランク体を用いて、収納物６を収納した小物収容用容器体を製造する方法について、図７から図１０を参照しつつ説明する。図７は本実施形態の小物収容用容器体において、プレ張り出し部材１５とプレ上面部１１Ａとが貼着された状態を説明するための説明図である。図８は本実施形態の小物収容用容器体の製造方法において、押し込み棒１７を用いて収納物６を収納部１ａ内にスライド移動させるステップを説明するための説明図である。図９は抑え棒１７を内側左側面部１３Ａ及び１３Ｃに形成された切り欠き部１６を介して抑え棒を外へ引き出す前のステップを説明するための説明図であり、図１０は抑え棒を外へ引き出した後、プレ外側左側面部１２Ａ及びプレ外側右側面部１２Ｃを内側に折り込み保持するステップを説明するための説明図である。
【００５４】
まず、図７に示すように、プレ上面部１１Ａの裏面に形成されたライン状のり部１４に接着剤を塗布し、プレ張り出し部材１５の表面にプレ上面部１１Ａを重ねてライン状のり部１４とムク状部１５ａを接着する。その後、側面部１１Ｂと１１Ｄを起立させることにより、方筒体１９を組み立てる。その後、上面３に隣接するプレ外側左側面部１２Ａ及びプレ外側右側面部１２Ｂを上方へ折り曲げておく。
【００５５】
次いで、図８に示すように、収納物を押し込み棒１７により押圧することにより、押圧面１７ａに接してスタック状に並んだ複数の収納物６を一端面側から方筒体１９に挿入する。この一方で、切り欠き部１６に挿入可能な形状の押圧面１８ａを有する抑え棒１８も、他方端面から方筒体１９に挿入させておく。そして、収納物６が抑え棒１８の抑え面１８ａに当接するまで、押し込み棒１７を収納部１ａ内に向けてスライド移動させる。
【００５６】
更に、図９に示すように、抑え棒１８を収納部１ａ内に挿入したままの状態でプレ内側左側面部１３Ａ及び１３Ｃを内側に折り込み保持する。
【００５７】
その後、図１０に示すように、切り欠き部１６を介して抑え棒１８を収納部１ａの外へスライド移動させる。そして、押し込み棒１７を上方向にスライドさせた後、プレ外側側面部を折り込み保持する。
【００５８】
次に、方筒体１９の両端面部分において、折り込んだプレ内側側面部１３Ａ、１３Ｂ、１３Ｃ、１３Ｄを内側に包むようにしてプレ外側側面部１２Ａ、１２Ｂ、１２Ｃ、１２Ｄを折り込み、プレ外側側面部１２Ａと１２Ｃ、１２Ｂと１２Ｄの端面が重なった部分を接着剤で貼着することにより左右各端面を形成し、図１に示すような構造を有する小物収容用容器体が作製される。
【００５９】
ブランク体１０は、図示しない生産ライン上をベルト搬送などの方法により順次移動し、各ステップにおける組み立てが行われる。押し込み棒１７及び抑え棒１８のスライド移動はモータ駆動や空圧式又は油圧式のシリンダ駆動に伴い行われる。
【００６０】
また、折り込んだ各面を内側に折り曲げた状態を保持する際には、小物収容用容器体の両端面付近において左右両側面側からプッシャーを互いに向き合う方向へ水平移動させ、その途次にプッシャーで折り込み面を折り曲げ、完全に側面が折り込まれた状態でプッシャーの水平移動を停止させるようにすればよい。そして、押し込み棒及び抑え棒が収納部外へ移動し、端面を折り曲げた後に各プッシャーを逆方向に水平移動させるようにするのである。尚、端面の折り曲げについても、折り込み面の折り曲げと同様の方法にて行うようにすればよい。
【００６１】
本実施形態における張り出し部材８の幅寸法は３５ｍｍ程度であり、蓋体４が収納部１ａ内に埋没するのを防止する邪魔板ともなっている。通常の糊しろ寸法は１０ｍｍ程度であるが、上述したように蓋体４の埋没を防止するための邪魔板とすべく、張り出し部材の幅寸法は３０ｍｍから４０ｍｍ程度とすることが好ましい。
【００６２】
また、本実施形態では蓋体を本体部の上面に設けているが、例えば蓋体を本体部の側面に設けて、当該側面に張り出し部材及び開口部を設ける構造としてもよい。
【００６３】
本発明の小物収容用容器体の変形例としては、図１１に示すように、張り出し部材２１を本体部２２の側縁２２ａに沿って並行に形成する一方、蓋体２３に設けられた係合部２４が重なる位置に略半円形状の切り欠き部２５を形成することにより、係合部２４を張り出し部材２１の端縁に差し込んで係合させることを可能としている。張り出し部材２１を上記形状とすることにより、ブランク体を形成する際の加工コストを低減させることが可能となる。このように、張り出し部材の形状は、これを限定するものでないが、ブランク体の加工コストを低減させるために直線状あるいは半円形状や円形状にすることが好ましい。
【００６４】
ここで、本発明のブランク体におけるライン状のり部の形成についての変形例を説明する。本実施形態では、ブランク板状体１０における蓋体４及びプレ上面部１１Ａの切り離し部側の裏面にライン状のり部１４を形成し、張り出し部材１５の表面におけるライン状のり部に対応する位置をムク状部１５ａとしているが、このライン状のり部１４とムク状部１５ａ以外の背骨ブランク体１１及び張り出し部材１５の表面には全て撥水加工が施されている。しかし、これに限定されるものでなく、図１２に示すように、張り出し部材３１の表面に略直線状で連続的なライン状のり部３２を形成するとともに、蓋体３３の自由端部に形成された摘み部の裏面に撥水塗料の塗布部３４を設けてもよい。また、図１３に示すように、プレ上面部４１の切り離し部側の裏面に略直線状で連続的なライン状のり部４２を形成するとともに、張り出し部材４３の表面における摘み部４４と重なる部分に撥水塗料の塗布部４５を設けるようにしてもよい。
【００６５】
【発明の効果】
以上説明したように、本発明によれば、ミシン目により区画された蓋体を開け抜いた後に開口部を閉じる場合でも、蓋体が開口部内に埋没しにくい構造を有する小物収容用容器体を提供し得る。
【００６６】
また、本発明によれば、蓋体が埋没し難い構造を有する包装容器のブランク体を使用紙量を少なくして製造することができる。
【図面の簡単な説明】
【図１】  本実施形態の収納物入り小物収容用容器体を示す概略斜視図である。
【図２】  本実施形態の収納物入り小物収容用容器体であって、蓋体をミシン目に沿って本体部と分離してその他方端部が手前側に向けて開け抜かれる状態で回動することによって開口部を形成させた状態を説明するための説明図である。
【図３】  本実施形態の収納物入り小物収容用容器体であって、蓋体を係合部により重畳部に係合させた状態を示す概略斜視図である。
【図４】  本実施形態の包装容器の蓋体をミシン目に沿って本体部と分離する前の状態を説明するための説明図である。
【図５】  本実施形態の小物収容用容器体において蓋体をミシン目に沿って本体部と分離した後に、蓋体の他方端部に形成した係合部により重畳部に係合している状態を説明するための説明図である。
【図６】  本実施形態のブランク体を示す概略正面図である。
【図７】  本実施形態の小物収容用容器体において張り出し部材と上面とを貼着した状態を説明するための説明図である。
【図８】  本実施形態の小物収容用容器体の製造方法において、押し込み棒を用いて収納物を収納部内にスライド移動させるステップを説明するための説明図である。
【図９】  本実施形態において方筒体の一方端面から内側側面部の切り欠き部を介して抑え棒１８を外へ引き出す前のステップを説明するための説明図である。
【図１０】  抑え棒を外へ引き出した後、外側側面部を内側に折り込み保持するステップを説明するための説明図である。
【図１１】  本発明の小物収容用容器体の変形例を示す概略斜視図である。
【図１２】  本発明のブランク体の変形例であり、張り出し部材の表面にライン状のり部を形成し、蓋体の他方端部の裏面に撥水加工が施されている状態を示す概略平面図である。
【図１３】  本発明のブランク体の変形例を示す概略平面図であって、上面の裏面側にライン状のり部を形成し張り出し部材の表面側の蓋体と対応する一部分に撥水加工を施したブランク体を示す概略平面図である。
【符号の説明】
１          本体部
１ａ        収納部
２          前側面
３          上面
４          蓋体
４ａ        摘み部
４ｂ        折り曲げライン
４ｃ        自由端部
５          ミシン目ライン
５ｂ、５ｃ  切り込み
６          収納物
７          開口部位
８          張り出し部材
８ａ        スリット
９          係合部
１０        ブランク体
１１        背骨ブランク体
１１Ａ      プレ上面部
１１Ｂ      プレ後ろ側面部
１１Ｃ      プレ底面部
１１Ｄ      プレ前側面部
１２、１３  ひれブランク体
１２Ａ      プレ外側左側面部
１２Ｂ      プレ外側右側面部
１２Ｃ      プレ外側右側面部
１２Ｄ      プレ外側左側面部
１３Ａ      プレ内側左側面部
１３Ｂ      プレ内側右側面部
１３Ｃ      プレ内側左側面部
１３Ｄ      プレ内側右側面部
１４        ライン状のり部
１５        プレ張り出し部材
１５ａ      ムク状部
１５ｂ      スリット
１６        切り欠き部
１７        押し込み棒
１７ａ      押し込み面
１８        抑え棒
１８ａ      抑え面
１９        方筒体
２１        張り出し部材
２２        本体部
２２ａ      本体部の側縁
２３        蓋体
２４        係合部
２５        略半円形状の切り欠き部
３１        張り出し部材
３２        ライン状のり部
３３        蓋体の自由端部
３４        撥水塗料の塗布部
４１        プレ上面部
４２        ライン状のり部
４３        張り出し部材
４４        摘み部
４５        撥水塗料の塗布部
【図１】
0003930693.tif 000002
【図２】
0003930693.tif 000003
【図３】
0003930693.tif 000004
【図４】
0003930693.tif 000005
【図５】
0003930693.tif 000006
【図６】
0003930693.tif 000007
【図７】
0003930693.tif 000008
【図８】
0003930693.tif 000009
【図９】
0003930693.tif 000010
【図１０】
0003930693.tif 000011
【図１１】
0003930693.tif 000012
【図１２】
0003930693.tif 000013
【図１３】
0003930693.tif 000014